(57)【要約】【課題】簡単な操作で支柱２の相対的な位置を設定し得るような構造を実現する。【課題を解決するための手段】部材１に設けた挿入口１２１に挿入する支柱２の該部材１に対する相対的な位置決めを行うものとして、支柱２の延伸方向に対して垂直な方向に凹む溝２１を該支柱２の所要箇所に形成し、係止部材３を前記溝２１に係合させた状態で前記支柱２を前記挿入口１２１に挿入することにより、前記係止部材３を前記部材１の外面に当接させて前記支柱２を相対的に位置決めするようにした。【選択図】図４
2004147788.tif 000002
【特許請求の範囲】
【請求項１】
部材に設けた挿入口に挿入する支柱の該部材に対する相対的な位置決めを行うものであって、
支柱の延伸方向に対して垂直な方向に凹む溝を該支柱の所要箇所に形成し、
係止部材を前記溝に係合させた状態で前記支柱を前記挿入口に挿入することにより、
前記係止部材を前記部材の外面に当接させて前記支柱を相対的に位置決めする支柱の位置決め構造。
【請求項２】
前記支柱の延伸方向に沿って間欠的に複数の溝を形成した請求項１記載の支柱の位置決め構造。
【請求項３】
前記係止部材が略薄板状をなすものである請求項１または２記載の支柱の位置決め構造。
【請求項４】
前記係止部材に前記支柱を貫通させ得る開口を設け、その開口縁の一部と前記溝とを係合させるようにした請求項１、２または３記載の支柱の位置決め構造。
【請求項５】
前記開口が前記支柱の溝を形成していない箇所の外形寸法よりも狭小な幅寸法を有する狭小部を内包し、該狭小部の周縁が前記溝と係合する請求項４記載の支柱の位置決め構造。
【請求項６】
前記開口が閉じた開口縁をもつ請求項４または５記載の支柱の位置決め構造。
【請求項７】
互いに平行に延伸する複数の支柱を前記部材に設けた挿入口に挿入するものであり、
前記係止部材を前記複数の支柱の各々の溝と係合させてなる請求項１、２、３、４、５または６記載の支柱の位置決め構造。
【請求項８】
前記支柱が上下方向に延伸するものであり、
前記係止部材が前記部材の上向面に当接して前記支柱の相対的な高さ位置を位置決めするものである請求項１、２、３、４、５、６または７記載の支柱の位置決め構造。
【請求項９】
前記部材に前記係止部材を収容し得る凹陥を設けている請求項１、２、３、４、５、６、７または８記載の支柱の位置決め構造。
【請求項１０】
前記支柱が略円柱状をなすものである請求項１、２、３、４、５、６、７、８または９記載の支柱の位置決め構造。
【請求項１１】
前記溝を支柱の周壁の全周に亘って形成した請求項１、２、３、４、５、６、７、８、９または１０記載の支柱の位置決め構造。
【請求項１２】
前記部材が、板金材を加工してなる基体に、前記係止部材と当接する外面及び前記支柱を挿入する挿入口を内包する樹脂製のキャップを装着したものである請求項１、２、３、４、５、６、７、８、９、１０または１１記載の支柱の位置決め構造。
【請求項１３】
前記支柱が家具の天板を支持するものであり、
前記部材が家具の側板である請求項１、２、３、４、５、６、７、８、９、１０、１１または１２記載の支柱の位置決め構造。
【発明の詳細な説明】
【０００１】
【発明の属する技術分野】
本発明は、家具その他の構造体の構成要素となる支柱の位置決めの構造に関する。
【０００２】
【従来の技術】
例えば、高さ位置を変更可能な天板を家具本体に取り付ける構造として、所定の部材（側板、脚等）に対して上下動可能な支柱に天板を支持させているものが挙げられる。このような家具において、支柱、ひいては天板の相対的な高さ位置を設定するために、水平方向にねじ込むボルトにより所定の部材と支柱とを結合することが一般に行われている（特許文献１を参照）。
【０００３】
【特許文献１】実開平５−６３３３０号公報
【０００４】
【発明が解決しようとする課題】
しかしながら、上記のものでは、支柱の高さ位置を設定するときにドライバー等が必要となる。加えて、ボルトをねじ込むボルト孔は手の届きにくい位置にあることが多く、作業に煩雑さを伴う点は否めない。
【０００５】
以上の問題に鑑み、本発明は、簡単な操作で支柱の相対的な位置を設定し得るような構造を提供しようとするものである。
【０００６】
【課題を解決するための手段】
上述した課題を解決すべく、本発明では、部材に設けた挿入口に挿入する支柱の該部材に対する相対的な位置決めを行うために、支柱の延伸方向に対して垂直な方向に凹む溝を該支柱の所要箇所に形成し、係止部材を前記溝に係合させた状態で前記支柱を前記挿入口に挿入することにより、前記係止部材を前記部材の外面に当接させて前記支柱を相対的に位置決めするものとした。このようなものであれば、ドライバー等を使用することなく、簡単に支柱の相対的な位置決めを行うことが可能となる。
【０００７】
そして、支柱の位置を複数位置のうちから選択的に設定可能とすべく、前記支柱の延伸方向に沿って間欠的に複数の溝を形成することが望ましい。
【０００８】
また、前記係止部材は、略薄板状のものとすることができる。
【０００９】
前記係止部材に前記支柱を貫通させ得る開口を設け、その開口縁の一部と前記溝とを係合させるようにしてもよい。加えて、前記開口が前記支柱の溝を形成していない箇所の外形寸法よりも狭小な幅寸法を有する狭小部を内包し、該狭小部の周縁が前記溝と係合するものとすれば、係止部材を支柱に対して垂直にスライドさせる操作により支柱と係止部材との係合あるいは係合の解除を行い得る。即ち、スライド操作を通じて支柱の相対的な位置を設定することが可能となる。前記開口は、閉じた開口縁をもつものであることが好適である。
【００１０】
互いに平行に延伸する複数の支柱を前記部材に設けた挿入口に挿入するものであり、前記係止部材を前記複数の支柱の各々の溝と係合させることとすれば、複数の支柱を具備する構造体、例えば複数の支柱で天板を支持させた家具をより少ない部品点数で構成可能である。
【００１１】
前記支柱が上下方向に延伸するものであり、前記係止部材が前記部材の上向面に当接して前記支柱の相対的な高さ位置を位置決めするものであれば、所要の要素の高さ位置を変更可能な構造体を構築し得る。
【００１２】
前記部材に前記係止部材を収容し得る凹陥を設けるものとすれば、構造的な安定性を担保することが可能となるとともに、係止部材を隠蔽してよりよい外観を具現できる。
【００１３】
前記支柱を略円柱状をなすものとすることが、家具としての美観の面で好ましい態様の一つである。
【００１４】
前記溝を支柱の周壁の全周に亘って形成することで、製造工程の簡便化や支柱等の共通化を図ることができる。
【００１５】
前記部材が、板金材を加工してなる基体に、前記係止部材と当接する外面及び前記支柱を挿入する挿入口を内包する樹脂製のキャップを装着したものであれば、製造が容易であり、かつ支柱や係止部材の摩耗が生じにくくなる。
【００１６】
本発明は、特に、家具の天板を支持する支柱を家具の側板（若しくは、脚）に対して相対的に位置決めするために用いることができる。
【００１７】
【発明の実施の形態】
以下、本発明の一実施形態を、図面を参照して説明する。図１ないし図３に示すものは、高さ位置を変更可能な天板５を取り付けた家具の一例で、デスクの上に載せて使用するのに適した卓上整理棚である。該卓上整理棚は、一対の側板１と、側板１の対向面間に支持させた棚板４と、側板１より上方に配置した天板５とを具備しており、棚板４並びに天板５がそれぞれ高さ位置を独立に変更可能となっている。
【００１８】
天板５は、複数（図示例では、左右に２本づつ、計４本）の支柱２により支持されている。支柱２は、互いに平行な方向、即ち鉛直方向に延伸する。支柱２は、例えば略円柱状のものとする。そして、図４示すように、延伸方向に対して垂直な方向に凹む溝２１を、支柱２の所要箇所に形成している。本実施形態では、支柱２の周壁の全域に亘る、言い換えれば支柱２の外側面の全周に亘る溝２１を、上下方向に沿って間欠的に複数（図示例では、３条）形成している。各支柱２で溝２１の形成箇所を揃えてあることは言うまでもない。
【００１９】
側板１は、板金材を折り曲げ加工してなるおおよそ中空の基体１１の上端に、樹脂製のキャップ１２を装着したものである。キャップ１２には、前後２カ所で該キャップ１２を上下に貫く略丸孔状の挿入口１２１を穿ってある。従って、側板１の上端部に２つの挿入口１２１を設けていることとなる。これら挿入口１２１に、支柱２を挿入する。つまり、左右の側板１に２本づつ挿入した都合４本の支柱２が、天板５の四方を支持する。
【００２０】
しかして、部材たる側板１に対し支柱２の相対的な高さ位置を決定すべく、係止部材３を溝２１に係合させた状態で支柱２を挿入口１２１に挿入するものとしている。
【００２１】
係止部材３は、略薄板状をなすもので、その厚みは支柱２に形成した溝２１の幅に略対応する。係止部材３には、支柱２を貫通させ得る開口３１を設けている。開口３１は、支柱２を自由に通すことができる挿通部３１１と、支柱２の溝２１を形成していない箇所の外形寸法よりも狭小な幅寸法を有し支柱２を自由に通すことができない狭小部３１２とが連なった、閉じた開口３１縁をもつものである。図示例では、支柱２の断面形状に相似な円形状の挿通部３１１と該挿通部３１１の内径よりも小さい幅の長孔状の狭小部３１２とを前後に連ねた形に切り欠いたものとなっている。かつ、狭小部３１２の幅寸法が、支柱２の溝２１を形成した箇所の外形寸法に略対応している。
【００２２】
開口３１の挿通部３１１に支柱２を差し入れて溝２１と開口３１とを同一高さに合わせ、しかる後に係止部材３を前後方向にスライド操作することで、図５、図６に示すように、狭小部３１２の周縁と支柱２の溝２１とが係合する。狭小部３１２の周縁と支柱２の溝２１とが係合しているとき、支柱２は係止部材３に対し上下方向に移動できない。係止部材３を逆方向にスライド操作すれば係合が解消し、支柱２が再び挿通部３１１内に収まって上下方向の移動が可能となる。なお、本実施形態では、上記の開口３１を係止部材３の前後２カ所に設けており、１つの係止部材３が左側あるいは右側の２本の支柱２の各々の溝２１と係合する。２カ所の開口３１の離間距離は、前後２本の支柱２の離間距離及び前後２本の支柱２を挿入する２つの挿入口１２１の離間距離に等しい。
【００２３】
係止部材３を溝２１に係合させた状態で支柱２を挿入口１２１に挿入することにより、側板１の上端部、即ちキャップ１２に係止部材３が当接して支柱２が保持される。なお、キャップ１２の上面には、係止部材３を収容可能な凹陥１２２を設けてある。該凹陥１２２は係止部材３の平面視形状と略同等の形状に窪み、その深さが係止部材３の厚みにほぼ対応している。よって、支柱２を挿入口１２１に挿入したとき、係止部材３が凹陥１２２内に収まると同時に、係止部材３が上向面たる凹陥１２２底面と当接する。但し、凹陥１２２を係止部材３よりも広大なものとすることを妨げない。例えば、凹陥１２２の前後方向の寸法を係止部材３の前後方向の寸法よりも大きくして、あるいは、係止部材３の前後方向の寸法を凹陥１２２の前後方向の寸法よりも小さくして、該凹陥１２２内で係止部材３を前後方向にスライド操作し得るように構成しても構わない。
【００２４】
このようにして、側板１に対する支柱２の相対的な高さ位置を位置決め可能としている。本実施形態では、左右の側板１にそれぞれ係止部材３を介して２本づつの支柱２を挿入している。係止部材３は、各支柱２で対応する箇所にある溝２１に係合させる。結果として、４本の支柱２が２つの係止部材３により同じ高さ位置に保持される。
【００２５】
本実施形態によれば、部材たる側板１に設けた挿入口１２１に支柱２を挿入するものにおいて、支柱２の延伸方向に対して垂直な方向に凹む溝２１を該支柱２の所要箇所に形成し、係止部材３を前記溝２１に係合させた状態で前記支柱２を前記挿入口１２１に挿入する構造としたことにより、ボルトやドライバーを使用することなく、前記係止部材３を前記側板１の外面即ち上面に当接させて前記支柱２の側板１に対する相対位置を位置決めできるようになる。
【００２６】
前記支柱２の延伸方向に沿って間欠的に複数の溝２１を形成しているため、複数の溝２１のうちの何れかを選択して係止部材３を係合させることで支柱２の相対位置を複数の位置に設定可能となっている。
【００２７】
前記係止部材３を略薄板状にできるので、位置決め構造のコンパクト化が可能である。
【００２８】
前記係止部材３に前記支柱２を貫通させ得る開口３１を設け、その開口３１縁の一部と前記溝２１とを係合させるようにしているため、簡単な操作で支柱２の高さ位置の設定が可能である。
【００２９】
前記開口３１が前記支柱２の溝２１を形成していない箇所の外形寸法よりも狭小な幅寸法を有する狭小部３１２を内包し、該狭小部３１２の周縁が前記溝２１と係合するものであれば、支柱２の延伸方向に対し垂直な方向へスライド操作することで溝２１と係止部材３との係合／係合の解除を行うことができる。
【００３０】
前記開口３１が閉じた開口３１縁をもつため、支柱２と係止部材３とがバラバラになりにくく、支柱２の高さ位置の設定の際にそのどちらかを紛失してしまうというようなことも起こりにくい。
【００３１】
互いに平行に延伸する複数の支柱２を側板１に設けた挿入口１２１に挿入するものであり、前記係止部材３を前記複数の支柱２の各々の溝２１と係合させているため、複数の支柱２をともに位置決め可能となっている。
【００３２】
前記支柱２が上下方向に延伸するものであり、前記係止部材３が前記側板１の上向面、即ちキャップ１２の凹陥１２２底面に当接して前記支柱２の相対的な高さ位置を位置決めするものであることから、天板５等の高さ位置を変更可能な家具への適用に好ましい構造となっている。
【００３３】
前記側板１に前記係止部材３を収容し得る凹陥１２２を設けているため、係止部材３が側板１より脱離しにくいものとなり構造的に安定する。
【００３４】
前記支柱２が略円柱状をなすものであるため、家具としての外観の面で好ましい。また、支柱２を側板１の挿入口１２１若しくは係止部材３の開口３１の挿通部３１１に挿入し易い。
【００３５】
前記溝２１を支柱２の周壁の全周に亘って形成したため、各支柱２を共通化できることに加えて係止部材３に設けるべき複数の開口３１の形状をも共通なものとできる。即ち、部品の共通化、工程の簡便化を図ることが可能となる。
【００３６】
部材たる側板１を、板金材を加工してなる基体１１に、前記係止部材３と当接する外面（凹陥１２２底面）及び前記支柱２を挿入する挿入口１２１を内包する樹脂製のキャップ１２を装着したもとしたことから、凹陥１２２や挿入口１２１の成形が容易となる。さらに、支柱２や係止部材３の摩耗が生じにくくなる。
【００３７】
上述した位置決め構造を採用することにより、高さ位置を変更可能に天板５を支持する支柱２を側板１に設けた家具を好適に構築できるようになる。
【００３８】
なお、本発明は以上に詳述した実施形態に限られるものではない。本発明は、支柱の高さ位置の設定のためにのみ用いられるものではなく、例えば、所定の部材に対する支柱の前後／左右方向の相対位置を位置決めするために用いることも可能である。また、支柱が家具の天板を支持するためのものであるとは限られず、支柱を挿入する部材が家具の側板であるとも限られない。１つの係止部材と係合する支柱の本数も、２本には限られない。
【００３９】
その他各部の具体的構成は上記実施形態に限られるものではなく、本発明の趣旨を逸脱しない範囲で種々変形が可能である。
【００４０】
【発明の効果】
以上に詳述した本発明によれば、簡単な操作で支柱の相対的な位置を設定することができる。
【図面の簡単な説明】
【図１】本発明の一実施形態における支柱の位置決め構造を採用した家具の斜視図。
【図２】同正面図。
【図３】同側面図。
【図４】同実施形態における支柱の位置決め構造の分解斜視図。
【図５】同実施形態における支柱の位置決め構造の縦断面図。
【図６】同支柱の位置決め構造の、係止部材の厚みの中央で切断した場合の水平断面図。
【符号の説明】
１…部材（家具の側板）
１１…基体
１２…キャップ
１２１…挿入口
１２２…凹陥
２…支柱
２１…溝
３…係止部材
３１…開口
３１２…狭小部
５…天板
【図１】
2004147788.tif 000003
【図２】
2004147788.tif 000004
【図３】
2004147788.tif 000005
【図４】
2004147788.tif 000006
【図５】
2004147788.tif 000007
【図６】
2004147788.tif 000008